(57)【要約】【課題】無駄な電気エネルギーを使わず、凍結防止を確実に行うことのできる排水管凍結防止システム、排水管凍結防止方法、凍結防止制御装置を提供する。【解決手段】排水管４０の凍結を防止するヒータ６０と、排水管４０を通して排水を貯蔵する排水タンク５０と、排水管４０内の水を検出する第１漏水センサ３５と、排水管４０に流入する水を検出する第２漏水センサ３０と、排水管４０の環境温度を検出する温度センサ７０とを設け、第１漏水センサ３５と第２漏水センサ３０と温度センサ７０との検出信号からヒータ６０の電源を制御する。【選択図】      図１
2005351039.tif 000002
【特許請求の範囲】
【請求項１】
排水管と、前記排水管の凍結を防止するヒータと、前記排水管を通して排水を貯蔵する排水タンクと、前記排水管内の水を検出する第１漏水センサと、前記排水管に流入する水を検出する第２漏水センサと、前記排水管の環境温度を検出する温度センサと、前記第１漏水センサと前記第２漏水センサと前記温度センサとの検出信号から前記ヒータの電源を制御する凍結防止制御装置とを有することを特徴とする排水管凍結防止システム。
【請求項２】
前記凍結防止制御装置は、前記第１漏水センサと前記第２漏水センサとの検出信号を入力し水の有無を検出する漏水検出部と、凍結温度を設定する凍結温度設定部と、前記温度センサ出力が前記凍結温度であるか否かを検出する凍結検出部と、前記漏水検出部と前記凍結検出部との検出信号を入力し前記ヒータの電源をオン／オフ制御する制御部とを有することを特徴とする請求項１記載の排水凍結防止システム。
【請求項３】
前記制御部は、前記凍結検出部により凍結温度を検出し、かつ、前記漏水検出部により前記第１漏水センサと前記第２漏水センサとの少なくとも何れかが水の有ることを検出したとき、前記ヒータの電源をオンにする手段を有することを特徴とする請求項２記載の排水管凍結防止システム。
【請求項４】
前記ヒータは、前記排水管内部に設けることを特徴とする請求項１乃至３の何れか１項記載の排水管凍結防止システム。
【請求項５】
前記第１漏水センサは、前記排水タンク側の前記排水管内部に設けることを特徴とする請求項１乃至３の何れか１項記載の排水管凍結防止システム。
【請求項６】
前記第２漏水センサは、屋根側の前記排水管の入口近傍に設けることを特徴とする請求項１乃至３の何れか１項記載の排水管凍結防止システム。
【請求項７】
前記第２漏水センサは、屋根上の雨水を検出することを特徴とする請求項１、２、３、６の何れか１項記載の排水管凍結防止システム。
【請求項８】
ヒータにより排水管の凍結を防止する排水管凍結防止方法において、前記排水管を通して排水を排水タンクに貯蔵するステップと、前記排水管内の水を第１漏水センサにより検出するステップと、前記排水管に流入する水を第２漏水センサにより検出するステップと、前記排水管の環境温度を温度センサにより検出するステップと、前記第１漏水センサと前記第２漏水センサと前記温度センサとの検出信号から凍結防止制御装置により前記ヒータの電源を制御するステップとを有し、前記凍結防止制御装置は、前記第１漏水センサと前記第２漏水センサとの検出信号を入力し水の有無を漏水検出部により検出するステップと、凍結温度設定部により凍結温度を設定するステップと、前記温度センサの出力が前記凍結温度であるか否かを凍結検出部により検出するステップと、前記漏水検出部と前記凍結検出部との検出信号を入力し制御部により前記ヒータの電源をオン／オフ制御するステップとを有することを特徴とする排水管凍結防止方法。
【請求項９】
前記制御部は、前記凍結検出部により前記凍結温度を検出し、かつ、前記漏水検出部により前記第１漏水センサと前記第２漏水センサとの少なくとも何れかが水の有ることを検出したとき、前記ヒータの電源をオンにするステップを有することを特徴とする請求項８記載の排水管凍結防止方法。
【請求項１０】
第１漏水センサと第２漏水センサとの検出信号を入力し水の有無を検出する漏水検出部と、凍結温度を設定する凍結温度設定部と、温度センサ出力が前記凍結温度であるか否かを検出する凍結検出部と、前記漏水検出部と前記凍結検出部との検出信号を入力しヒータの電源をオン／オフ制御する制御部とを有し、前記制御部は、前記凍結検出部により前記凍結温度を検出し、かつ、前記漏水検出部により前記第１漏水センサと前記第２漏水センサとの少なくとも何れかが水の有ることを検出したとき、前記ヒータの電源をオンにする手段を有することを特徴とする凍結防止制御装置。
【請求項１１】
前記ヒータは、排水管内部に設けることを特徴とする請求項１０記載の凍結防止制御装置。
【請求項１２】
前記温度センサは、排水管の環境温度を検出することを特徴とする請求項１０記載の凍結防止制御装置。
【請求項１３】
前記第１漏水センサは、排水管内に設け、前記第２漏水センサは、前記排水管への水の流入口近傍へ設けることを特徴とする請求項１０記載の凍結防止制御装置。
【発明の詳細な説明】
【技術分野】
【０００１】
本発明は、排水管凍結防止システム、排水管凍結防止方法、凍結防止制御装置に関し、特に、排水管内部および排水管の入口近傍とでの水の有無と環境温度とを検出し、環境温度に拘わらず排水管内部および排水管の入口近傍とで水が無いとき、凍結防止用のヒータの電源をオフにして、無駄な電気エネルギーを使わずに凍結防止を確実に行うことのできる排水管凍結防止システム、排水管凍結防止方法、凍結防止制御装置に関する。
【背景技術】
【０００２】
従来、排水管の凍結防止技術として、ルーフドレンからの雨水排水管に電気ヒータを配設し、ルーフドレン近傍に太陽電池を電源として日射がある場合に電気ヒータに通電するように接続し、特別な制御機構なしに、また、配線工事を行うことなく、簡単かつ安価に設置でき、ランニングコストも低廉であるものがある（例えば、特許文献１参照。）。
【０００３】
また、水質維持装置を貯水槽に並置し、所定の時刻になると循環ポンプにより電解槽を通して貯水槽内の水を循環させ、貯水槽に滞留する水道水の遊離残留塩素濃度を一定範囲に維持すると共に、水質維持装置内に滞留する水の温度を検出する水温センサを設け、水温値が一定値（例えば、摂氏３度）以下に低下すると運転待機中でも循環ポンプのみを運転し、貯水槽の水を循環させて滞留水の凍結を防止し、摂氏１度以下に低下すると凍結防止ヒータと循環ファンとを動作させ、凍結防止作用を高めるものもある（例えば、特許文献２参照。）。
【０００４】
【特許文献１】特開平７ー１８９３０７号公報
【特許文献２】特開２００２ー１５３８８４号公報
【発明の開示】
【発明が解決しようとする課題】
【０００５】
上述の特許文献１記載の技術は、電気ヒータの電力供給源として太陽電池を利用して、排水管の凍結防止を図っているため、日射がないときは電気ヒータを動作させることができない。通常、排水管は、据え付け構造、形状から排水管内部に水の滞留する箇所が存在する。排水管内部に滞留する水は、環境温度が凍結温度以下になると、電気ヒータを通電しないとき、凍結してしまうという課題がある。
【０００６】
また、特許文献２記載の技術は、貯水槽内の水を循環させるため一定時間間隔で循環ポンプを運転させ、水温値により、待機中でも循環ポンプのみの運転、或いは、凍結防止ヒータと循環ファンとを運転しているため、消費電力が大きくなり不経済になる。暖気を水質維持装置内に循環させるために凍結防止ヒータを設け、間接的に水の凍結防止を図るため、凍結防止目的に対する凍結防止ヒータの使用効率が低下するという課題がある。
【０００７】
本発明の目的は、上記課題を解決すべく、排水管内部および排水管の入口近傍とでの水の有無と環境温度とを検出し、環境温度に拘わらず排水管内部および排水管の入口近傍とで水が無いとき、凍結防止用のヒータの電源をオフにして、無駄な電気エネルギーを使わず、凍結防止を確実に行うことのできる排水管凍結防止システム、排水管凍結防止方法、凍結防止制御装置を提供することにある。
【課題を解決するための手段】
【０００８】
本発明の排水管凍結防止システムは、排水管と、排水管の凍結を防止するヒータと、排水管を通して排水を貯蔵する排水タンクと、排水管内の水を検出する第１漏水センサと、排水管に流入する水を検出する第２漏水センサと、排水管の環境温度を検出する温度センサと、第１漏水センサと第２漏水センサと温度センサとの検出信号からヒータの電源を制御する凍結防止制御装置とを有することを特徴とする。
【０００９】
凍結防止制御装置は、第１漏水センサと第２漏水センサとの検出信号を入力し水の有無を検出する漏水検出部と、凍結温度を設定する凍結温度設定部と、温度センサ出力が凍結温度であるか否かを検出する凍結検出部と、漏水検出部と凍結検出部との検出信号を入力しヒータの電源をオン／オフ制御する制御部とを有することを特徴とする。
【００１０】
制御部は、凍結検出部により凍結温度を検出し、かつ、漏水検出部により第１漏水センサと第２漏水センサとの少なくとも何れかが水の有ることを検出したとき、ヒータの電源をオンにする手段を有することを特徴とする。
【００１１】
ヒータは、排水管内部に設けることを特徴とする。
【００１２】
第１漏水センサは、排水タンク側の排水管内部に設けることを特徴とする。
【００１３】
第２漏水センサは、屋根側の排水管の入口近傍に設けることを特徴とする。
【００１４】
第２漏水センサは、屋根上の雨水を検出することを特徴とする。
【００１５】
本発明の排水管凍結防止方法は、ヒータにより排水管の凍結を防止する排水管凍結防止方法において、排水管を通して排水を排水タンクに貯蔵するステップと、排水管内の水を第１漏水センサにより検出するステップと、排水管に流入する水を第２漏水センサにより検出するステップと、排水管の環境温度を温度センサにより検出するステップと、第１漏水センサと第２漏水センサと温度センサとの検出信号から凍結防止制御装置によりヒータの電源を制御するステップとを有し、凍結防止制御装置は、第１漏水センサと第２漏水センサとの検出信号を入力し水の有無を漏水検出部により検出するステップと、凍結温度設定部により凍結温度を設定するステップと、温度センサの出力が凍結温度であるか否かを凍結検出部により検出するステップと、漏水検出部と凍結検出部との検出信号を入力し制御部によりヒータの電源をオン／オフ制御するステップとを有することを特徴とする。
【００１６】
制御部は、凍結検出部により凍結温度を検出し、かつ、漏水検出部により第１漏水センサと第２漏水センサとの少なくとも何れかが水の有ることを検出したとき、ヒータの電源をオンにするステップを有することを特徴とする。
【００１７】
本発明の凍結防止制御装置は、第１漏水センサと第２漏水センサとの検出信号を入力し水の有無を検出する漏水検出部と、凍結温度を設定する凍結温度設定部と、温度センサ出力が凍結温度であるか否かを検出する凍結検出部と、漏水検出部と凍結検出部との検出信号を入力しヒータの電源をオン／オフ制御する制御部とを有し、制御部は、凍結検出部により凍結温度を検出し、かつ、漏水検出部により第１漏水センサと第２漏水センサとの少なくとも何れかが水の有ることを検出したとき、ヒータの電源をオンにする手段を有することを特徴とする。
【００１８】
ヒータは、排水管内部に設けることを特徴とする。
【００１９】
温度センサは、排水管の環境温度を検出することを特徴とする。
【００２０】
第１漏水センサは、排水管内に設け、第２漏水センサは、排水管への水の流入口近傍へ設けることを特徴とする。
【発明の効果】
【００２１】
本発明の排水管凍結防止システム、排水管凍結防止方法、凍結防止制御装置によれば、排水管内の水を検出する第１漏水センサと、排水管に流入する水を検出する第２漏水センサと、排水管の環境温度を検出する温度センサとの検出信号からヒータの電源を制御するため、無駄な電気エネルギーを使うことなく、凍結防止を確実に行うことができるという効果がある。
【発明を実施するための最良の形態】
【００２２】
次に、本発明を実施するための最良の形態について、図面を参照して詳細に説明する。
【００２３】
図１は、家屋に適用した排水管凍結防止システム１の実施の形態を示す概略図、図２は、排水管凍結防止システム１の概略構成ブロック図である。但し、図１においては、凍結防止制御装置２を図示省略している。
【００２４】
図１、図２を参照すると、排水管凍結防止システム１は、排水管４０と、排水管４０の凍結を防止するヒータ６０と、排水管４０を通して排水を貯蔵する排水タンク５０と、排水管４０内の水を検出する第１漏水センサ３５と、排水管４０に流入する水を検出する第２漏水センサ３０と、排水管４０の環境温度を検出する温度センサ７０と、第１漏水センサ３５と第２漏水センサ３０と温度センサ７０との検出信号からヒータ６０の電源を制御する凍結防止制御装置２とで構成する。
【００２５】
凍結防止制御装置２は、第１漏水センサ３５と第２漏水センサとの検出信号を入力し水の有無を検出する漏水検出部２１と、凍結温度を設定する凍結温度設定部２２と、温度センサ７０出力が凍結温度であるか否かを検出する凍結検出部２３と、漏水検出部２１と凍結検出部２３との検出信号を入力しヒータ６０の電源（図示せず）をオン／オフ制御する制御部２４とで構成する。
【００２６】
ヒータ６０は、排水管４０内部に設け、第１漏水センサ３５は、排水タンク５０側の排水管４０内部に設け、第２漏水センサ３０は、屋根２０上の雨水が流入する排水管４０の入口４１近傍に設ける。
【００２７】
なお、第１漏水センサ３５、第２漏水センサ３０は、水道水の場合、センサに１ｃｃ滴下すると水が有ることを検出し、水を含んだ後、自然乾燥させると概ね３０分程度で復帰し、再使用が可能となる特性をもつものである。
【００２８】
次に、上述のように構成した排水管凍結防止システム１の動作について、図面を参照して説明する。
【００２９】
図３は、排水管凍結防止システム１の動作を説明するためのフローチャート、図４は、制御部２４によりヒータ６０の電源をオン／オフ制御する条件を示す図である。図４中において、第１漏水センサ３５、第２漏水センサ３０欄のＯＮは、漏水検出部２１で水の有ることを検出、ＯＦＦは、水の無いことを検出したことを示す。
【００３０】
図３を参照すると、凍結検出部２３は、温度センサ７０からの出力が凍結温度設定部２２で設定した凍結温度以下であるか否かを判定する（Ｓ１）。なお、凍結温度の設定値は、例えば、水の凍結温度より高い摂氏１度とすることで、凍結防止上のマージンを持たせる。
【００３１】
凍結温度以下であるとき、漏水検出部２１は、第１漏水センサ３５と第２漏水センサ３０との入力信号から、少なくとも排水管４０と屋根２０上との何れかに水が有るか否かを判定する（Ｓ２）。
【００３２】
排水管４０と屋根２０上との何れか、または、両方に水が有るとき、制御部２４は、ヒータ６０の電源をオンにする（Ｓ３）。ヒータ６０の電源をオンにすることにより、雨水は凍結せず排水管４０内を流れ、排水タンク５０へ流入する。
【００３３】
上記（Ｓ１）において、温度センサ７０の出力が凍結温度より高いとき、および、上記（Ｓ２）において、排水管４０と屋根２０上との何れにも水が無いとき（漏れ検出部２１により、第１漏水センサ３５と第２漏水センサ３０との入力信号から、排水管４０と屋根２０上との両方共に水が無いことを検出のとき）、制御部２４は、ヒータ６０の電源をオフにする制御を行う（Ｓ４）。
【００３４】
図４を参照すると、制御部２４は、温度センサ７０からの出力が凍結温度以下（凍結温度検出）、かつ、第１漏水センサ３５と第２漏水センサ３０との少なくとも何れかが水の有ることを検出したとき、ヒータ６０の電源をオンにする。
【００３５】
また、制御部２４は、温度センサ７０からの出力が凍結温度を超えるとき（凍結温度より高いとき、即ち、図４中において、凍結検出部２３：ＯＦＦのとき）、および、凍結温度以下、かつ、第１漏水センサ３５と第２漏水センサ３０との両方共に水の無いことを検出したとき（漏水検出部２１：ＯＦＦのとき）、ヒータ６０の電源をオフにする。即ち、漏水検出部２３のＯＮ／ＯＦＦに拘わらず、凍結検出部２３がＯＦＦのとき、および、凍結検出部２３のＯＮ／ＯＦＦに拘わらず（環境温度に拘わらず）、排水管４０内部および排水管４０の入口４１近傍との両方共に水が無いとき、制御部２４は、凍結防止用のヒータ６０の電源をオフにする制御を行う。
【００３６】
従って、上述の排水管凍結防止システム１は、無駄な電気エネルギーを使わず、凍結防止を確実に行うことができる。
【００３７】
また、ヒータ６０の電源をオン／オフにする制御を制御部２４により自動的に行なうことができるため、人為的なミスを発生することもない。
【図面の簡単な説明】
【００３８】
【図１】家屋に適用した本発明の排水管凍結防止システムの実施の形態を示す概略図である。
【図２】排水管凍結防止システムの概略構成ブロック図である。
【図３】排水管凍結防止システムの動作を説明するためのフローチャートである。
【図４】制御部によりヒータの電源をオン／オフ制御する条件を示す図である。
【符号の説明】
【００３９】
１    排水管凍結防止システム
２    凍結防止制御装置
２０    屋根
２１    漏水検出部
２２    凍結温度設定部
２３    凍結検出部
２４    制御部
３０    第２漏水センサ
３５    第１漏水センサ
４０    排水管
５０    排水タンク
６０    ヒータ
７０    温度センサ
【図１】
2005351039.tif 000003
【図２】
2005351039.tif 000004
【図３】
2005351039.tif 000005
【図４】
2005351039.tif 000006